(57)【要約】【課題】インクセットにおける各インクの相互において、ブリードを生じにくいインクセットを提供すること。【解決手段】本発明に係るインクセットは、水と、Ｃ．Ｉ．アシッドブルー９と、第１界面活性剤と、を含む第１インクと、水と、Ｃ．Ｉ．アシッドレッド２４９と、第２界面活性剤と、を含む第２インクと、水と、Ｃ．Ｉ．ダイレクトイエロー１３２と、第３界面活性剤と、を含む第３インクと、を備え、前記第１界面活性剤、前記第２界面活性剤および前記第３界面活性剤は、いずれも主鎖の炭素数が１０以上のアセチレングリコールであり、かつ、前記第１インクに対する前記第１界面活性剤の質量濃度をＳＡＡ１、前記第２インクに対する前記第２界面活性剤の質量濃度をＳＡＡ２、前記第３インクに対する前記第３界面活性剤の質量濃度をＳＡＡ３、とした場合に、下記条件（１）および条件（２）の関係を満たす。１．６≦（ＳＡＡ２）／（ＳＡＡ１）≦３．５    ・・・条件（１）１．０≦（ＳＡＡ３）／（ＳＡＡ２）≦１．５    ・・・条件（２）【選択図】なし【特許請求の範囲】
【請求項１】
水と、Ｃ．Ｉ．アシッドブルー９と、第１界面活性剤と、を含む第１インクと、
水と、Ｃ．Ｉ．アシッドレッド２４９と、第２界面活性剤と、を含む第２インクと、
水と、Ｃ．Ｉ．ダイレクトイエロー１３２と、第３界面活性剤と、を含む第３インクと、
を備え、
前記第１界面活性剤、前記第２界面活性剤および前記第３界面活性剤は、いずれも主鎖の炭素数が１０以上のアセチレングリコールであり、かつ、
前記第１インクに対する前記第１界面活性剤の質量濃度をＳＡＡ１、前記第２インクに対する前記第２界面活性剤の質量濃度をＳＡＡ２、前記第３インクに対する前記第３界面活性剤の質量濃度をＳＡＡ３、とした場合に、下記条件（１）および条件（２）の関係を満たす、インクセット。
１．６≦（ＳＡＡ２）／（ＳＡＡ１）≦３．５    ・・・条件（１）
１．０≦（ＳＡＡ３）／（ＳＡＡ２）≦１．５    ・・・条件（２）
【請求項２】
請求項１において、
前記条件（１）が、２．５≦（ＳＡＡ２）／（ＳＡＡ１）≦３．５である、インクセット。
【請求項３】
請求項１または請求項２において、
前記条件（２）が、１．２≦（ＳＡＡ３）／（ＳＡＡ２）≦１．５である、インクセット。
【請求項４】
請求項１ないし請求項３のいずれか一項において、
ＳＡＡ１が、０．１〜３．０質量％である、インクセット。
【発明の詳細な説明】
【技術分野】
【０００１】
本発明は、インクセットに関する。
【背景技術】
【０００２】
記録ヘッドのノズル孔からインクの微小な液滴を吐出させ記録媒体に付着させて、画像や文字を記録するインクジェット記録装置が知られている。また、係る記録に用いるインクとして、例えば、色材、界面活性剤、水、有機溶剤等の種々の成分を含むインクジェット用インクが知られている。また、このようなインクジェット記録において多色の記録を行う際には、複数種のインク（例えば、ブラックインク、イエローインク、マゼンタインク、シアンインク等）の組み合わせとしてインクセットが構成される。
【０００３】
インクジェット記録においては、インクセット、インク、記録装置、記録媒体などの複数の構成それぞれに対して多くの性能が要求され、また、各構成間の高度なバランスが要求される。その一例として、インクセットにおいては、これを構成する各インクが、記録媒体に付着した際に、互いに滲みを生じにくいといった性能が要求される。
【０００４】
例えば、特許文献１には、特定構造のカチオン性水溶性樹脂をインク組成物に含有させることによって、ブリード（記録媒体上におけるインク組成物の相互拡散）を抑制し、滲みの少ない画像を形成する方法が開示されている。
【先行技術文献】
【特許文献】
【０００５】
【特許文献１】特開２０００−２９７２４０号公報
【発明の概要】
【発明が解決しようとする課題】
【０００６】
しかしながら、複数種のインクを備えたインクセットにおいては、単に各インクに対して、ブリードを抑制するための成分や組成を一律に適用するだけでは、インクの組み合わせによっては、ブリードを抑制する効果が不十分となる場合があった。
【０００７】
発明者らは、ブリードを抑制するためには、インクセットにおけるそれぞれのインクについて、成分や組成を調節することのみならず、各インクの間相互のブリード特性を考慮すべきであるとの着想に基づく検討の結果、本発明を完成させた。また、発明者らの検討によると、記録媒体上におけるインク間のブリードは、各インクに含有される界面活性物質の量を調節することに加え、係る調節が各インクに含有される色材の種類に依存することが分かってきた。
【０００８】
すなわち、発明の幾つかの態様に係る目的の１つは、インクセットにおける各インクの相互において、ブリードを生じにくいインクセットを提供することにある。
【課題を解決するための手段】
【０００９】
本発明は、上記課題の少なくとも一部を解決するために為されたものであり、以下の態様又は適用例として実現することができる。
【００１０】
［適用例１］本発明に係るインクセットの一態様は、
水と、Ｃ．Ｉ．アシッドブルー９と、第１界面活性剤と、を含む第１インクと、
水と、Ｃ．Ｉ．アシッドレッド２４９と、第２界面活性剤と、を含む第２インクと、
水と、Ｃ．Ｉ．ダイレクトイエロー１３２と、第３界面活性剤と、を含む第３インクと、を備え、
前記第１界面活性剤、前記第２界面活性剤および前記第３界面活性剤は、いずれも主鎖の炭素数が１０以上のアセチレングリコールであり、かつ、前記第１インクに対する前記第１界面活性剤の質量濃度をＳＡＡ１、前記第２インクに対する前記第２界面活性剤の質量濃度をＳＡＡ２、前記第３インクに対する前記第３界面活性剤の質量濃度をＳＡＡ３、とした場合に、下記条件（１）および条件（２）の関係を満たす。
１．６≦（ＳＡＡ２）／（ＳＡＡ１）≦３．５    ・・・条件（１）
１．０≦（ＳＡＡ３）／（ＳＡＡ２）≦１．５    ・・・条件（２）
【００１１】
本適用例のインクセットによれば、各インクの相互において、ブリード（インク間の相互拡散）が生じにくく、係るインクセットを用いて記録を行う場合に、記録媒体上に形成される画像の滲みを抑制することができる。
【００１２】
［適用例２］適用例１のインクセットにおいて、前記条件（１）が、２．５≦（ＳＡＡ２）／（ＳＡＡ１）≦３．５であってもよい。
【００１３】
本適用例のインクセットによれば、各インクの相互において、ブリードがさらに生じにくく、係るインクセットを用いて記録を行う場合に、記録媒体上に形成される画像の滲みをさらに抑制することができる。
【００１４】
［適用例３］適用例１または適用例２のインクセットにおいて、前記条件（２）が、１．２≦（ＳＡＡ３）／（ＳＡＡ２）≦１．５であってもよい。
【００１５】
本適用例のインクセットによれば、各インクの相互において、ブリードがさらに生じにくく、係るインクセットを用いて記録を行う場合に、記録媒体上に形成される画像の滲みをさらに抑制することができる。
【００１６】
［適用例４］適用例１ないし適用例３のいずれか一例のインクセットにおいて、ＳＡＡ１が、０．１〜３．０質量％であってもよい。
【００１７】
本適用例のインクセットによれば、各インクの相互において、ブリードがさらに生じにくく、係るインクセットを用いて記録を行う場合に、記録媒体上に形成される画像の滲みをさらに抑制することができる。
【発明を実施するための形態】
【００１８】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００１９】
１．インクセット
本発明に係るインクセットの一態様は、第１インクと、第２インクと、第３インクと、を備える。第１インクはシアン系のインクであり、第２インクはマゼンダ系のインクであり、第３インクはイエロー系のインクである。以下、各インクについて順に述べる。
【００２０】
１．１．第１インク
本実施形態に係る第１インクは、水と、Ｃ．Ｉ．アシッドブルー９と、第１界面活性剤と、を含む。
【００２１】
１．１．１．  Ｃ．Ｉ．アシッドブルー９
第１インクは、Ｃ．Ｉ．アシッドブルー９を含む。Ｃ．Ｉ．アシッドブルー９は、酸性染料であり、ＣＡＳ登録番号が２６５０−１８−２であり、体系名としては、Ｎ−エチル−Ｎ−Ｎ−［４−［［４−［エチル［［３−スルホフェニル］メチル］アミノ］フェニル］（２−スルホナトフェニル）メチレン］−２，５−シクロヘキサジエン−１−イリデン］−３−スルホベンゼンメタンアミニウムジアンモニウム（塩）であり、そして慣用名が、Ｃ．Ｉ．アシッドブルー９等と称される化合物である。なお、「Ｃ．Ｉ．」は、カラーインデックスの略である。
【００２２】
第１インク全量に対するＣ．Ｉ．アシッドブルー９の含有量は、特に制限はないが、好ましくは０．０１質量％以上２５質量％以下であり、より好ましくは０．１質量％以上１０質量％以下である。Ｃ．Ｉ．アシッドブルー９の含有量がこの範囲であれば、第１インクをシアン系インクとして好適に用いることができる。
【００２３】
１．１．２．第１界面活性剤
第１インクは、第１界面活性剤を含有する。第１界面活性剤は、主鎖の炭素数が１０以上のアセチレングリコールである。また、第１界面活性剤は、主鎖の炭素数が１０以上のアセチレングリコールの変性体であってもよい。このような変性体としては、例えば、アセチレングリコールのポリエーテル変性体が挙げられる。主鎖の炭素数が１０以上のアセチレングリコールとしては、例えば、２，４，７，９−テトラメチル−５−デシン−４，７−ジオール、２，５，８，１１−テトラメチル−６−ドデシン−５，８−ジオール、などを例示することができる。アセチレングリコールは、一般的に、表面張力及び界面張力を適正に保つ能力に優れており、かつ起泡性がほとんどないという特性を有する。
【００２４】
主鎖の炭素数が１０以上のアセチレングリコール、または主鎖の炭素数が１０以上のアセチレングリコールの変性体の具体例としては、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、Ａｉｒ  Ｐｒｏｄｕｃｔｓ  ａｎｄ  Ｃｈｅｍｉｃａｌｓ．  Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。
【００２５】
本明細書では、第１インクに対する第１界面活性剤の質量濃度を「ＳＡＡ１」（質量％）と定義する。そして、本実施形態では、ＳＡＡ１は、後述するＳＡＡ２との関係を有している。また、そのような関係（条件（１））を有した上で、ＳＡＡ１は、例えば、０．０１質量％以上１０質量％以下、好ましくは、０．０５質量％以上７質量％以下、より好ましくは、０．０５質量％以上７質量％以下である。ＳＡＡ１が、条件（１）を満たした上で、この範囲にあれば、ブリード抑制効果を得ることができ、かつ、第１インクの表面張力を適正に保つことができる。またさらに、ＳＡＡ１が０．１質量％以上３質量％以下であると、条件（１）を満たすための配合を調節しやすく、ブリード抑制効果を高めやすいのでさらに好ましい。
【００２６】
１．１．３．水
第１インクは媒体として水を含有し、係る水は、例えば、イオン交換水、限外濾過水、逆浸透水、蒸留水等の純水又は超純水のようなイオン性不純物を極力除去したものが好ましい。また、紫外線照射又は過酸化水素添加等により滅菌した水を用いると、第１インク
を長期保存する場合にカビやバクテリアの発生を防止することができるので好適である。
【００２７】
１．１．４．その他の成分
第１インクは、上記の成分の他にも、他の色材、有機溶剤、（多価）アルコール類、アミン類、各種の塩類、分散剤、重合性化合物、他の界面活性剤、ｐＨ調整剤、エチレンジアミン四酢酸塩（ＥＤＴＡ）等のキレート化剤、防腐剤・防かび剤、及び防錆剤など、所定の性能を付与するための物質を含有することができる。
【００２８】
ここで、他の色材とは、上述のＣ．Ｉ．アシッドブルー９以外の色材を指し、例えば、直接染料、他の酸性染料、食用染料、塩基性染料、反応性染料、分散染料、建染染料、可溶性建染染料、無機顔料、有機顔料を挙げることができる。さらに無機顔料としては、酸化チタン、酸化鉄、カーボンブラックを例示でき、有機顔料としては、アゾ顔料、多環式顔料、染料キレート、ニトロ顔料、ニトロソ顔料、アニリンブラックなどを挙げることができる。また、他の界面活性剤とは、例えば、主鎖の炭素数が１０未満のアセチレングリコール、シリコン系界面活性剤およびフッ素系界面活性剤などを指す。
【００２９】
第１インクに他の色材を含有させる場合には、第１インクに含まれる色材の含有量に対するＣ．Ｉ．アシッドブルー９の含有量が、５０質量％以上であることが好ましく、７０％以上であることがより好ましく、９０質量％以上であることが一層好ましい。このようにすることで、界面活性剤によるブリード抑制効果を十分に得ることができる。また、第１インクに他の界面活性剤を含有させる場合には、主鎖の炭素数が１０以上のアセチレングリコールが、界面活性剤としての主成分となるように配合することが好ましい。すなわち、第１インクに対する他の界面活性剤の合計の質量濃度が、ＳＡＡ１未満となるように配合することが好ましい。
【００３０】
本実施形態のインクセットは、第１インクにおいて、上述のＣ．Ｉ．アシッドブルー９と、上述の第１界面活性剤とを組み合わせることによって優れた効果が奏されると考えられ、上記の通りＣ．Ｉ．アシッドブルー９を色材としての主成分とし、第１界面活性剤を界面活性剤としての主成分とすることが、係る組み合わせによる効果を十分に発揮するために極めて有効である。
【００３１】
第１インクに配合することができる有機溶剤としては、例えば、アルコール類（メチルアルコール、エチルアルコール、プロピルアルコール、ブチルアルコール、イソプロピルアルコール、フッ化アルコール等）、ケトン類（アセトン、メチルエチルケトン、シクロヘキサノン等）、カルボン酸エステル類（酢酸メチル、酢酸エチル、酢酸プロピル、酢酸ブチル、プロピオン酸メチル、プロピオン酸エチル等）、エーテル類（ジエチルエーテル、ジプロピルエーテル、テトラヒドロフラン、ジオキサン等）、多価アルコール類（エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等）、グリコールエーテル系溶媒（トリエチレングリコールモノブチルエーテルなどのアルキレングリコールモノエーテル、ジエチレングリコールジエチルエーテルなどのアルキレングリコールジエーテル等）等が挙げられる。
【００３２】
グリコールエーテル系溶媒のさらに具体的な例としては、例えば、エチレングリコールモノイソブチルエーテル、エチレングリコールモノヘキシルエーテル、エチレングリコールモノイソヘキシルエーテル、ジエチレングリコールモノヘキシルエーテル、トリエチレングリコールモノヘキシルエーテル、ジエチレングリコールモノイソヘキシルエーテル、トリエチレングリコールモノイソヘキシルエーテル、エチレングリコールモノイソヘプチ
ルエーテル、ジエチレングリコールモノイソヘプチルエーテル、トリエチレングリコールモノイソヘプチルエーテル、エチレングリコールモノオクチルエーテル、エチレングリコールモノイソオクチルエーテル、ジエチレングリコールモノイソオクチルエーテル、トリエチレングリコールモノイソオクチルエーテル、エチレングリコールモノ−２−エチルヘキシルエーテル、ジエチレングリコール−２−エチルヘキシルエーテル、トリエチレングリコールモノ−２−エチルヘキシルエーテル、ジエチレングリコールモノ−２−エチルペンチルエーテル、エチレングリコールモノ−２−エチルペンチルエーテル、エチレングリコールモノ−２−メチルペンチルエーテル、ジエチレングリコールモノ−２−メチルペンチルエーテル、プロピレングリコールモノブチルエーテル、ジプロピレングリコールモノブチルエーテル、トリプロピレングリコールモノブチルエーテル、プロピレングリコールモノプロピルエーテル、ジプロピレングリコールモノプロピルエーテル、トリプロピレングリコールモノメチルエーテル等が挙げられる。これらは、１種単独又は２種以上を混合して使用することができる。
【００３３】
第１インクには、例示の有機溶剤を単独または混合して使用することができ、第１インクに有機溶剤を配合する場合の合計の配合量は、例えば、第１インクの保存安定性や吐出信頼性を確保する観点から、第１インクの全質量に対して、０．０５質量％以上３０質量％以下であることが好ましく、０．１質量％以上２５質量％以下であることがさらに好ましい。グリコールエーテルの含有量が上記範囲内にあることで、第１インクの記録媒体上での濡れ性、浸透性、乾燥性が良好となる場合がある。また、有機溶剤の含有量が上記範囲内にあることで、インク組成物の粘度を適正にすることができ、ノズルの目詰まり等の発生を低減できる場合がある。
【００３４】
第１インクに配合できる（多価）アルコール類としては、グリセリン、プロピレングリコール、ジプロピレングリコール、１，２−ブタンジオール、１，２−ペンタンジオール、１，２−ヘキサンジオール、１，２−ヘプタンジオール、３−メチル−１，３−ブタンジオール、２−エチル−２−メチル−１，３−プロパンジオール、２−メチル−１，３−プロパンジオール、２−メチル−２−プロピル−１，３−プロパンジオール、２，２−ジメチル−１，３−プロパンジオールや、２−メチルペンタン−２，４−ジオールなどが挙げられる。
【００３５】
第１インクに（多価）アルコール類を含有させる場合の合計の含有量は、記録媒体上での濡れ拡がり性及び浸透性を向上させて濃淡むらを低減させる効果や、第１インクの保存安定性及び吐出信頼性を確保する観点から、第１インクの全質量に対して、０．０５質量％以上３０質量％以下であることが好ましく、０．１質量％以上３０質量％以下であることがさらに好ましい。（多価）アルコール類の含有量が上記範囲内にあることで、インクの濡れ性、浸透性、乾燥性が良好となり、良好な印刷濃度（発色性）を備えた画像が得られる場合がある。また、（多価）アルコール類の含有量が上記範囲内にあることで、インクの粘度を適正にすることができ、ノズルの目詰まり等の発生を低減できる場合がある。
【００３６】
第１インクに配合できるアミン類としては、例えば、トリエタノールアミン、トリプロパノールアミン、トリブタノールアミン、Ｎ，Ｎ−ジメチル−２−アミノエタノール、Ｎ，Ｎ−ジエチル−２−アミノエタノール等のヒドロキシルアミンが挙げられ、１種または複数種を用いることができる。第１インクにアミン類を含有させる場合の合計の含有量は、第１インクの全質量に対して、０．０５質量％以上５質量％以下であることが好ましく、０．１質量％以上３質量％以下であることがさらに好ましい。
【００３７】
１．２．第２インク
本実施形態に係る第２インクは、水と、Ｃ．Ｉ．アシッドレッド２４９と、第２界面活性剤と、を含む。
【００３８】
１．２．１．  Ｃ．Ｉ．アシッドレッド２４９
第２インクは、Ｃ．Ｉ．アシッドレッド２４９を含む。Ｃ．Ｉ．アシッドレッド２４９は、酸性染料であり、ＣＡＳ登録番号が６４１６−６６−６であり、体系名としては、３−［（５−クロロ−２−フェノキシフェニル）アゾ］−４−ヒドロキシ−５−［［（４−メチルフェニル）スルホニル］アミノ］−２，７−ナフタレンジスルホン酸二ナトリウム、または、３−（２−フェノキシ−５−クロロフェニルアゾ）−４−ヒドロキシ−５−（トシルアミノ）ナフタレン−２，７−ビス(スルホン酸ナトリウム)であり、そして慣用名が、Ｃ．Ｉ．アシッドレッド２４９またはスミノールミリングブリリアントレッドＢなどと称される化合物である。なお、「Ｃ．Ｉ．」は、カラーインデックスの略である。
【００３９】
第２インク全量に対するＣ．Ｉ．アシッドレッド２４９の含有量は、特に制限はないが、好ましくは０．０１質量％以上２５質量％以下であり、より好ましくは０．１質量％以上１０質量％以下である。Ｃ．Ｉ．アシッドレッド２４９の含有量がこの範囲であれば、第２インクをマゼンダ系インクとして好適に用いることができる。
【００４０】
１．２．２．第２界面活性剤
第２インクは、第２界面活性剤を含有する。第２界面活性剤は、主鎖の炭素数が１０以上のアセチレングリコールであって、上述の第１界面活性剤と同様であるので、詳細な説明を省略する。
【００４１】
本明細書では、第２インクに対する第２界面活性剤の質量濃度を「ＳＡＡ２」（質量％）と定義する。そして、本実施形態ではＳＡＡ２は、上述のＳＡＡ１および後述するＳＡＡ３との関係を有している。また、そのような関係（条件（１）および条件（２））を有した上で、ＳＡＡ２は、例えば、０．０１質量％以上１０質量％以下、好ましくは、０．０５質量％以上７質量％以下、より好ましくは、０．０５質量％以上７質量％以下である。ＳＡＡ２が、条件（１）および条件（２）を満たした上で、この範囲にあれば、ブリード抑制効果を得ることができ、かつ第２インクの表面張力を適正に保つことができる。
【００４２】
１．２．３．水
第２インクは、水を含有する。上述の第１インクに含まれる水と同様であるので、詳細な説明を省略する。
【００４３】
１．２．４．その他の成分
第２インクは、上述の第１インクと同様に、上記の成分の他にも、他の色材、有機溶剤、（多価）アルコール類、アミン類、各種の塩類、分散剤、重合性化合物、他の界面活性剤、ｐＨ調整剤、エチレンジアミン四酢酸塩（ＥＤＴＡ）等のキレート化剤、防腐剤・防かび剤、及び防錆剤など、所定の性能を付与するための物質を含有することができる。
【００４４】
ここで、他の色材とは、上述のＣ．Ｉ．アシッドレッド２４９以外の色材を指し、また、他の界面活性剤とは、例えば、主鎖の炭素数が１０未満のアセチレングリコール、シリコン系界面活性剤およびフッ素系界面活性剤などを指す。
【００４５】
第２インクに他の色材を含有させる場合には、第２インクに含まれる色材の含有量に対するＣ．Ｉ．アシッドレッド２４９の含有量が、５０質量％以上であることが好ましく、７０％以上であることがより好ましく、９０質量％以上であることが一層好ましい。このようにすることで、界面活性剤によるブリード抑制効果を十分に得ることができる。また、第２インクに他の界面活性剤を含有させる場合には、主鎖の炭素数が１０以上のアセチレングリコールが、界面活性剤としての主成分となるように配合することが好ましい。すなわち、第２インクに対する他の界面活性剤の合計の質量濃度が、ＳＡＡ１未満となるよ
うに配合することが好ましい。
【００４６】
本実施形態のインクセットは、第２インクにおいて、上述のＣ．Ｉ．アシッドレッド２４９と、第２界面活性剤との組み合わせによって優れた効果を奏すると考えられる。したがって上記の通りＣ．Ｉ．アシッドレッド２４９を色材としての主成分とし、第２界面活性剤を界面活性剤としての主成分とすることが効果を十分に発揮するために有効であると考えられる。
【００４７】
第２インクに配合可能な有機溶剤、（多価）アルコール類、アミン類については、「１．１．３．（第１インクの）その他の成分」の項で述べたとおりであり、同項の「第１インク」を「第２インク」と読み替えることにより詳細な説明を省略する。
【００４８】
１．３．第３インク
本実施形態に係る第３インクは、水と、Ｃ．Ｉ．ダイレクトイエロー１３２と、第３界面活性剤と、を含む。
【００４９】
１．３．１．Ｃ．Ｉ．ダイレクトイエロー１３２
第３インクは、Ｃ．Ｉ．ダイレクトイエロー１３２を含む。Ｃ．Ｉ．ダイレクトイエロー１３２は、直接染料であり、ＣＡＳ登録番号が６１９６８−２６−１であり、そして慣用名が、Ｃ．Ｉ．ダイレクトイエロー１３２またはペーパーファーストイエローＧＧなどと称される化合物である。なお、「Ｃ．Ｉ．」は、カラーインデックスの略である。
【００５０】
第３インク全量に対するＣ．Ｉ．ダイレクトイエロー１３２の含有量は、特に制限はないが、好ましくは０．０１質量％以上２５質量％以下であり、より好ましくは０．１質量％以上１０質量％以下である。Ｃ．Ｉ．ダイレクトイエロー１３２の含有量がこの範囲であれば、第３インクをイエロー系インクとして好適に用いることができる。
【００５１】
１．３．２．第３界面活性剤
第３インクは、第３界面活性剤を含有する。第３界面活性剤は、主鎖の炭素数が１０以上のアセチレングリコールであって、上述の第１界面活性剤、第２界面活性剤と同様であるので、詳細な説明を省略する。
【００５２】
本明細書では、第３インクに対する第３界面活性剤の質量濃度を「ＳＡＡ３」（質量％）と定義する。そして、本実施形態では、ＳＡＡ３は、上述のＳＡＡ２との関係を有している。また、そのような関係（条件（２））を有した上で、ＳＡＡ３は、例えば、０．０１質量％以上１０質量％以下、好ましくは、０．０５質量％以上７質量％以下、より好ましくは、０．０５質量％以上７質量％以下である。ＳＡＡ３が、条件（２）を満たした上で、この範囲にあれば、ブリード抑制効果を得ることができ、かつ第３インクの表面張力を適正に保つことができる。
【００５３】
１．３．３．水
第３インクは、水を含有する。上述の第１インクに含まれる水と同様であるので、詳細な説明を省略する。
【００５４】
１．３．４．その他の成分
第３インクは、第１インク、第２インクと同様に、上記の成分の他にも、他の色材、有機溶剤、（多価）アルコール類、各種の塩類、分散剤、重合性化合物、他の界面活性剤、ｐＨ調整剤、エチレンジアミン四酢酸塩（ＥＤＴＡ）等のキレート化剤、防腐剤・防かび剤、及び防錆剤など、所定の性能を付与するための物質を含有することができる。
【００５５】
ここで、他の色材とは、上述のＣ．Ｉ．ダイレクトイエロー１３２以外の色材を指し、例えば、他の直接染料、酸性染料、食用染料、塩基性染料、反応性染料、分散染料、建染染料、可溶性建染染料、無機顔料、有機顔料を挙げることができる。さらに無機顔料としては、酸化チタン、酸化鉄、カーボンブラックを例示でき、有機顔料としては、アゾ顔料、多環式顔料、染料キレート、ニトロ顔料、ニトロソ顔料、アニリンブラックなどを挙げることができる。また、他の界面活性剤とは、例えば、主鎖の炭素数が１０未満のアセチレングリコール、シリコン系界面活性剤およびフッ素系界面活性剤などを指す。
【００５６】
第３インクに他の色材を含有させる場合には、第３インクに含まれる色材の含有量に対するＣ．Ｉ．ダイレクトイエロー１３２の含有量が、５０質量％以上であることが好ましく、７０％以上であることがより好ましく、９０質量％以上であることが一層好ましい。このようにすることで、界面活性剤によるブリード抑制効果を十分に得ることができる。
【００５７】
また、第３インクに他の界面活性剤を含有させる場合には、主鎖の炭素数が１０以上のアセチレングリコールが、界面活性剤としての主成分となるように配合することが好ましい。すなわち、第３インクに対する他の界面活性剤の合計の質量濃度が、ＳＡＡ１未満となるように配合することが好ましい。
【００５８】
本実施形態のインクセットは、第３インクにおいて、上述のＣ．Ｉ．ダイレクトイエロー１３２と、第３界面活性剤との組み合わせによって優れた効果を奏すると考えられる。したがって、上記の通りＣ．Ｉ．ダイレクトイエロー１３２を色材としての主成分とし、第３界面活性剤を界面活性剤としての主成分とすることが効果を発揮するために有効であると考えられる。
【００５９】
第３インクに配合可能な有機溶剤、（多価）アルコール類、アミン類については、「１．１．３．（第１インクの）その他の成分」の項で述べたとおりであり、同項の「第１インク」を「第３インク」と読み替えることで、説明を省略する。
【００６０】
１．４．各インクの界面活性剤の濃度
本実施形態のインクセットは、上述の各インクに含まれる各界面活性剤が、以下の条件を満足するように配合される。すなわち、第１インクに対する第１界面活性剤の質量濃度をＳＡＡ１（質量％）、第２インクに対する第２界面活性剤の質量濃度をＳＡＡ２（質量％）、第３インクに対する第３界面活性剤の質量濃度をＳＡＡ３（質量％）、とした場合に、下記条件（１）および条件（２）の関係を満たす。
１．６≦（ＳＡＡ２）／（ＳＡＡ１）≦３．５    ・・・条件（１）
１．０≦（ＳＡＡ３）／（ＳＡＡ２）≦１．５    ・・・条件（２）
【００６１】
条件（１）は、ＳＡＡ１に対するＳＡＡ２の比が、１．６以上３．５以下であることを示しており、条件（２）は、ＳＡＡ２に対するＳＡＡ３の比が１．０以上１．５以下であることを示している。
【００６２】
本実施形態のインクセットは、上記条件を満たすので、記録媒体に対して各インクが互いに近接して付着された場合に、優れたブリード抑制効果を得ることができる。
【００６３】
１．５．その他の構成または成分
本実施形態のインクセットは、その他のインクを含んでも良い。その他のインクとしては、例えば、ブラック、ホワイト、シアン、マゼンダ、イエロー、若しくはこれらの淡色若しくは濃色、若しくはこれらの混色、またはクリアの少なくとも１種のインクを挙げることができる。本実施形態のインクセットを用いて記録媒体に画像を記録する際に、第１インク、第２インクおよび第３インクが近接して記録された場合に、少なくともこれらの
インク間のブリードが抑制され、画像における滲み等を抑制することができる。
【００６４】
１．６．インクジェット記録
本実施形態のインクセットは、各種の記録に用いることができる。インクセットを用いた記録の方式としては、例えば、インクジェット記録、ペン、筆、刷毛等による記録、プロッターによる記録、が挙げられる。特に本実施形態に係るインクセットは、インクジェット記録に好適に用いることができる。以下インクジェット記録で用いるインクジェット記録装置、および記録媒体について述べる。
【００６５】
１．６．１．インクジェット記録装置
本実施形態に係るインクセットを適用するインクジェット記録装置は、インクを吐出する記録ヘッドを備え、各種記録媒体に対してインクを付着させて情報を記録することができるものであれば特に限定されない。
【００６６】
インクジェット記録装置は、シリアル型のインクジェット記録装置およびライン型のインクジェット記録装置のいずれでも使用することができる。いずれの型のインクジェット記録装置であっても、記録ヘッドが搭載されており、記録媒体と記録ヘッドとの相対的な位置関係を変化させながら、記録ヘッドのノズル孔からインクの液滴を所定のタイミングでかつ所定の体積（質量）で吐出させ、記録媒体の記録面にインクを付着させて所定の画像を記録することができる。
【００６７】
インクジェット記録装置の方式としては、インクを記録ヘッドのノズル孔から液滴として吐出して該液滴を媒体に付着させることができれば、特に制限されない。インクジェット記録方式としては、例えば、静電吸引方式、ポンプ圧力によりインク滴を噴射させる方式、圧電素子を用いる方式、インク液を微小電極で加熱発泡させインク滴を噴射させる方式、などを挙げることができる。
【００６８】
インクジェット記録装置は、記録ヘッドの他に、装置筐体、記録ヘッドのキャリッジ機構、ローラー、各種駆動部、各種制御部、センサー類、媒体搬送機構、トレイ、操作パネル等の構成を適宜含むことができる。
【００６９】
１．６．２．記録媒体
記録媒体としては、特に制限はなく、例えば、紙、フィルム、布帛、印刷本紙、金属、ガラス、高分子などが挙げられる。また、媒体は、無色透明、半透明、着色透明、有彩色不透明、無彩色不透明のいずれであってもよい。
【００７０】
なお、記録媒体の記録面におけるインクの吸収性は、２種のインクが近接して記録された場合のインク間のブリード現象に影響する場合がある。本実施形態に係るインクセットは、上述の各インクを使用するため、吸収性および低吸収性のいずれの記録媒体にも好適に適用することができる。
【００７１】
ここで、低吸収性の記録媒体とは、記録面においてインク組成物を全く吸収しない、またはほとんど吸収しない性質を有する記録媒体を指す。定量的には、低吸収性の記録媒体とは、「ブリストー（Ｂｒｉｓｔｏｗ）法において接触開始から３０ｍｓｅｃ１／２までの水吸収量が１０ｍＬ／ｍ２以下である記録媒体」を指す。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。これに対して、吸収性の記録媒体とは、低吸収性に該当しない記録媒体のことを示す。
【００７２】
また、低吸収性の記録媒体としては、表面にインクを受容するための塗工層が設けられた記録媒体が挙げられ、例えば、基材が紙であるものとしては、アート紙、コート紙、マット紙等の印刷本紙が挙げられ、基材がプラスチックフィルムである場合には、ポリ塩化ビニル、ポリエチレンテレフタレート、ポリカーボネート、ポリスチレン、ポリウレタン、ポリエチレン、ポリプロピレン等の表面に、親水性ポリマーが塗工されたもの、シリカ、チタン等の粒子がバインダーとともに塗工されたものが挙げられる。
【００７３】
ここで、インクジェット記録におけるインク間のブリードの多寡は、インクの性質に依存するが、一般に、記録媒体へのインクの浸透速度やインクの乾燥しやすさにも依存する。すなわち、記録媒体へのインクの浸透速度が小さいとブリード現象は比較的生じやすくなる。したがって、低吸収性の記録媒体のうち、表面にインクを受容するための塗工層が薄い場合は、厚い場合に比較してブリードが生じやすくなる傾向がある。
【００７４】
しかし、本実施形態のインクセットによれば、例えば表面に４０μｍ以下のインク受容層が形成された記録媒体であってもブリードを抑制することができる。このような記録媒体としては、例えば、ポリエチレンテレフタレートのフィルムの表面に、ポリビニルアルコール（ＰＶＡ）の層が形成され、当該ＰＶＡの層の厚みが４０μｍ以下で形成されているものが挙げられる。本実施形態のインクセットによれば、このようなインク低吸収性の記録媒体に対する記録に適用しても、第１インク、第２インクおよび第３インクが近接して記録された場合に、少なくともこれらのインク間のブリードが抑制され、画像における滲み等を抑制することができる。
【００７５】
１．６．作用効果
本適用例のインクセットによれば、各インクの相互において、ブリード（インク間の相互拡散）が生じにくく、係るインクセットを用いて記録を行う場合に、記録媒体上に形成される画像の滲みを抑制することができる。
【００７６】
なお、以下の実施例および比較例においても示すが、本実施形態に係るインクセットのブリード抑制効果は、各インクの表面張力を調節するだけでは得られない効果である。すなわち、詳細なメカニズムは必ずしも明らかではないが、本実施形態に係るインクセットによって抑制されるブリード現象は、表面張力のみによっては説明することは困難であり、上述した各インクの配合および各インク間の組成のバランスによってはじめて説明される現象であると考えられる。
【００７７】
２．実施例および比較例
以下に実施例および比較例を示し、本発明をさらに説明するが、本発明は以下の例によってなんら限定されるものではない。
【００７８】
２．１．インクの調製
各実施例および各比較例のインクセットに用いる２０種のインクを、表１に示す配合で調製した。
【００７９】
表１に記載された成分において、色材はＣ．Ｉ．アシッドブルー９（東京化成工業株式会社製）、Ｃ．Ｉ．アシッドレッド２４９（ダイワ化成株式会社製）、ダイレクトイエロー１３２（富士フイルムイメージングカラーラント株式会社製）、Ｃ．Ｉ．ダイレクトブルー１９９（日本化薬株式会社製）、Ｃ．Ｉ．アシッドレッド５２（ダイワ化成株式会社製）およびＣ．Ｉ．ダイレクトイエロー８６（富士フイルムイメージングカラーラント株式会社製）を用いた。また、主鎖の炭素数が１０以上のアセチレングリコールとしては、サーフィノール１０４（２，４，７，９−テトラメチル−５−デシン−４，７−ジオール
）（商品名；日信化学工業株式会社製）、およびダイノール６０４（２，５，８，１１−テトラメチル−６−ドデシン−５，８−ジオールのエチレンオキサイド付加物）（商品名；日信化学工業株式会社製）を用い、主鎖の炭素数が１０未満のアセチレングリコールとしては、サーフィノール８２（３，６−ジメチル−４−オクチン−３，６−ジオール）（商品名；日信化学工業株式会社製）を用いた。また、トリエチレングリコールモノブチルエーテル、グリセリン、１，２−ヘキサンジオール、トリエタノールアミンは、市販品をそのまま使用した。
【００８０】
表１に記載された成分を同表の配合量（質量％）となるように、イオン交換水（残分）を加え、容器中でマグネチックスターラーにて２時間混合撹拌した後、孔径５μｍのメンブランフィルターにて濾過してインクを調製した。
【００８１】
表２には、各実施例および各比較例のインクセットを構成するインク種、各インクの染料種、各インクの界面活性剤の主鎖の炭素数および含有量、（ＳＡＡ２）／（ＳＡＡ１）、および（ＳＡＡ３）／（ＳＡＡ２）の値、並びに各インクの表面張力をまとめた。
【００８２】
【表１】
2014105229.tif 000002
【００８３】
【表２】
2014105229.tif 000003
【００８４】
２．２．評価方法
２．２．１．ブリードの評価
セイコーエプソン社製ＰＸ−Ｇ９３０インクジェットプリンターを用い、該プリンター
のイエロー列とマゼンタ列にイエローインク、シアン列とマットブラック列にシアンインク、フォトブラック列とレッド列にブラックインク、バイオレット列とグロスオプティマイザ列にマゼンタインクを充填し、４色印刷できるように接続した。背景色と文字色の組合せを表３に示す通りとして、ＰＶＡ層を有する水性インク用記録媒体（Ｇｕａｎｚｈｏｕ  ｃｉｔｙ  Ｓｉｈｏｎｇ  Ｄｉｇｉｔａｌ  Ｔｅｃｈｎｏｌｏｇｙ  Ｃｏ．，Ｌｔｄ．製）に対して、４ｐｔ及び１０ｐｔの文字を記録した。得られた記録物を観察し、インク間のブリードを下記基準にて評価し、結果を表２に記載した。
Ａ：４ｐｔ、１０ｐｔともに滲みがなく、文字として認識できる
Ｂ：若干の滲みはあるが、４ｐｔ、１０ｐｔともに文字として認識できる。
Ｃ：滲みにより４ｐｔは文字として認識できないが１０ｐｔは文字として視認できる
Ｄ：滲みがひどく、４ｐｔ、１０ｐｔともに文字として視認できない
【００８５】
２．２．２．表面張力
各インクの表面張力を、表面張力計ＣＢＶＰ−Ｚ型（協和界面化学社製）を用いて測定し、その結果を表１および表２に記載した。
【００８６】
【表３】
2014105229.tif 000004
【００８７】
２．３．評価結果
実施例１〜４のインクセットは、いずれも、Ｃ．Ｉ．アシッドブルー９と、第１界面活性剤と、を含む第１インクと、Ｃ．Ｉ．アシッドレッド２４９と、第２界面活性剤と、を含む第２インクと、Ｃ．Ｉ．ダイレクトイエロー１３２と、第３界面活性剤と、を含む第３インクと、を備え、かつ、第１界面活性剤、第２界面活性剤および第３界面活性剤は、ともに主鎖の炭素数が１０以上のアセチレングリコールであり、かつ、上述の条件（１）および条件（２）の関係を満たしている。そして表３をみると、背景色および文字色の選択に関わらず、少なくとも１０ｐｔ（ポイント）の文字を認識できることが判明した。すなわち、実施例１〜４のインクセットは、いずれも、ブリード（インク間の相互拡散）が十分に抑制され、記録媒体上に形成される画像の滲みを抑制できることが判明した。
【００８８】
また、実施例２のインクセットは、条件（１）が、さらに、２．５≦（ＳＡＡ２）／（ＳＡＡ１）≦３．５の関係を満たしており、背景色をシアンとし、文字色をマゼンダとした場合においてよりブリードが抑制され、４ｐｔの文字が認識された。実施例３のインクセットは、条件（２）が、さらに、１．２≦（ＳＡＡ３）／（ＳＡＡ２）≦１．５の関係を満たしており、背景色、文字色をどのように選択しても、よりブリードが抑制され、４ｐｔの文字を認識できる結果となった。そして、条件（１）が、２．５≦（ＳＡＡ２）／（ＳＡＡ１）≦３．５の関係を満たし、かつ、条件（２）が、１．２≦（ＳＡＡ３）／（ＳＡＡ２）≦１．５の関係を満たす実施例４のインクセットでは、ブリードが十分に抑制され、滲みがなく極めて良好な結果が得られた。
【００８９】
これに対して、主鎖の炭素数が１０未満のアセチレングリコールを用いた比較例１、第１インクにおいて、Ｃ．Ｉ．アシッドブルー９の代わりにＣ．Ｉ．ダイレクトブルー１９９を用いた比較例２、Ｃ．Ｉ．アシッドレッド２４９の代わりにＣ．Ｉ．アシッドレッド５２を用いた比較例３、および、Ｃ．Ｉ．ダイレクトイエロー１３２の代わりにＣ．Ｉ．ダイレクトイエロー８６を用いた比較例４のインクセットでは、背景色および文字色の組み合わせのうち少なくとも１種において、４ｐｔのみならず１０ｐｔの文字すら認識できない結果となった。
【００９０】
さらに、Ｃ．Ｉ．アシッドブルー９と、第１界面活性剤と、を含む第１インクと、Ｃ．Ｉ．アシッドレッド２４９と、第２界面活性剤と、を含む第２インクと、Ｃ．Ｉ．ダイレクトイエロー１３２と、第３界面活性剤と、を含む第３インクと、を備え、かつ、第１界面活性剤、第２界面活性剤および第３界面活性剤は、ともに主鎖の炭素数が１０以上のアセチレングリコールであるにもかかわらず、上述の条件（１）または条件（２）の関係を満たさない比較例５〜７のインクセットは、いずれも背景色および文字色の組み合わせのうち少なくとも１種において、４ｐｔのみならず１０ｐｔの文字すら認識できない結果となった。
【００９１】
なお、表１および表２に示した各インクの表面張力の値と、表３に示された結果とを検討すると、両者に関して一定の傾向等を見出すことができなかった。このような結果から、発明者らは、各実施例に係るインクセットのブリード抑制効果は、各インクの表面張力を調節するだけでは得られない効果であって、各インクの配合および各インク間の組成のバランスによってはじめて説明される現象であると考えている。
【００９２】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した
構成を含む。